(57)【要約】      （修正有）【課題】プロジェクターを長期間にわたって使用するうちに投写画像の色バランスが損なわれるという問題が改善された、高画質のプロジェクターを提供する。【解決手段】赤色用、緑色用及び青色用液晶変調装置と、赤色用、緑色用及び青色用駆動信号を生成する駆動信号生成回路とを備えるプロジェクターであって、駆動信号生成回路は、初期状態における各液晶変調装置のＶ−Ｔ特性に基づいて形成された第１色変換テーブルと、所定の第１累積稼働時間を経過した時点において予想される各液晶変調装置のＶ−Ｔ特性に基づいて形成された第２色変換テーブルとを有する色変換テーブルライブラリーと、色変換テーブルライブラリーが有する複数の色変換テーブルのうちからいずれかの色変換テーブルを選択する色変換テーブル選択装置と、色変換テーブル選択装置によって選択された色変換テーブルを参照して、色変換を行う色変換回路とを有する。【選択図】図１
2010245586.tif 000002
【特許請求の範囲】
【請求項１】
照明装置と、
前記照明装置からの光を赤色光、緑色光及び青色光に色分離する色分離光学系と、
前記色分離光学系によって色分離された各色光を画像信号に応じて変調する赤色用液晶変調装置、緑色用液晶変調装置及び青色用液晶変調装置と、
前記３つの液晶変調装置で変調された各色光を色合成する色合成光学系と、
前記色合成光学系により色合成された光を投写対象に向けて投写する投写光学系と、
前記赤色用液晶変調装置を駆動するための赤色用駆動信号、前記緑色用液晶変調装置を駆動するための緑色用駆動信号及び前記青色用液晶変調装置を駆動するための青色用駆動信号を画像信号から生成する駆動信号生成回路とを備えるプロジェクターであって、
前記駆動信号生成回路は、
初期状態における前記赤色用液晶変調装置のＶ−Ｔ特性、前記緑色用液晶変調装置のＶ−Ｔ特性及び前記青色用液晶変調装置のＶ−Ｔ特性に基づいて形成された第１色変換テーブルと、所定の第１累積稼働時間を経過した時点において予想される前記赤色用液晶変調装置のＶ−Ｔ特性、前記緑色用液晶変調装置のＶ−Ｔ特性及び前記青色用液晶変調装置のＶ−Ｔ特性に基づいて形成された第２色変換テーブルとを有する色変換テーブルライブラリーと、
前記色変換テーブルライブラリーが有する複数の色変換テーブルのうちからいずれかの色変換テーブルを選択する色変換テーブル選択装置と、
前記色変換テーブル選択装置によって選択された色変換テーブルを参照して、色変換を行う色変換回路とを有することを特徴とするプロジェクター。
【請求項２】
請求項１に記載のプロジェクターにおいて、
前記色変換テーブルライブラリーは、前記第１累積稼働時間よりも長い第２累積稼働時間を経過した時点において予想される前記赤色用液晶変調装置Ｖ−Ｔ特性、前記緑色用液晶変調装置のＶ−Ｔ特性及び前記青色用液晶変調装置のＶ−Ｔ特性に基づいて形成された第３色変換テーブルをさらに有することを特徴とするプロジェクター。
【請求項３】
請求項１又は２に記載のプロジェクターにおいて、
前記プロジェクターの累積稼働時間を計測するタイマーをさらに備え、
前記色変換テーブル選択装置は、前記累積稼働時間に基づいて所定の色変換テーブルを選択することを特徴とするプロジェクター。
【請求項４】
請求項１又は２に記載のプロジェクターにおいて、
前記色変換テーブルを切り替えるための操作ボタンをさらに備え、
前記色変換テーブル選択装置は、前記操作ボタンに対する操作内容に基づいて所定の色変換テーブルを選択することを特徴とするプロジェクター。
【発明の詳細な説明】
【技術分野】
【０００１】
本発明は、プロジェクターに関する。
【背景技術】
【０００２】
光源から射出される光を２枚のダイクロイックミラーを有する色分離光学系を用いて赤色光、緑色光及び青色光に色分離し、それぞれの色光を液晶変調装置を用いて変調した後、変調された各色光を色合成してスクリーン等の投写対象に投写するプロジェクターが広く用いられている（例えば、特許文献１参照。）。
【０００３】
従来のプロジェクターによれば、赤色光、緑色光及び青色光を液晶変調装置を用いて変調した後色合成して投写することとしているため、色再現性や階調表現に優れ、さらには高精細のカラー画像を投写することができる。
【先行技術文献】
【特許文献】
【０００４】
【特許文献１】特開２００３−２８７８０４号公報
【発明の概要】
【発明が解決しようとする課題】
【０００５】
しかしながら、従来のプロジェクターにおいては、プロジェクターを長期間にわたって使用するうちに各液晶変調装置の特性が劣化し、その結果、投写画像の色バランスが損なわれるという問題がある。近年、プロジェクターの性能が高まるにつれて、この問題が重要視されるようになっている。
【０００６】
本発明は、このような問題を解決するためになされたものである。すなわち、プロジェクターを長期間にわたって使用するうちに投写画像の色バランスが損なわれるという問題が改善された、高画質のプロジェクターを提供することを目的とする。
【課題を解決するための手段】
【０００７】
本発明のプロジェクターは、照明装置と、前記照明装置からの光を赤色光、緑色光及び青色光に色分離する色分離光学系と、前記色分離光学系によって色分離された各色光を画像信号に応じて変調する赤色用液晶変調装置、緑色用液晶変調装置及び青色用液晶変調装置と、前記３つの液晶変調装置で変調された各色光を色合成する色合成光学系と、前記色合成光学系により色合成された光を投写対象に向けて投写する投写光学系と、前記赤色用液晶変調装置を駆動するための赤色用駆動信号、前記緑色用液晶変調装置を駆動するための緑色用駆動信号及び前記青色用液晶変調装置を駆動するための青色用駆動信号を画像信号から生成する駆動信号生成回路とを備えるプロジェクターであって、前記駆動信号生成回路は、初期状態における前記赤色用液晶変調装置のＶ−Ｔ特性、前記緑色用液晶変調装置のＶ−Ｔ特性及び前記青色用液晶変調装置のＶ−Ｔ特性に基づいて形成された第１色変換テーブルと、所定の第１累積稼働時間を経過した時点において予想される前記赤色用液晶変調装置のＶ−Ｔ特性、前記緑色用液晶変調装置のＶ−Ｔ特性及び前記青色用液晶変調装置のＶ−Ｔ特性に基づいて形成された第２色変換テーブルとを有する色変換テーブルライブラリーと、前記色変換テーブルライブラリーが有する複数の色変換テーブルのうちからいずれかの色変換テーブルを選択する色変換テーブル選択装置と、前記色変換テーブル選択装置によって選択された色変換テーブルを参照して、色変換を行う色変換回路とを有することを特徴とする。ここで、Ｖ−Ｔ特性とは、液晶変調装置の透過率と印加電圧との関係を示す。
【０００８】
このため、本発明のプロジェクターによれば、赤色用、緑色用及び青色用の液晶変調装置の、初期状態におけるＶ−Ｔ特性に基づく色変換テーブルと、所定の第１累積稼働時間を経過した時点において予想されるＶ−Ｔ特性に基づく色変換テーブルとから選択した色変換テーブルを参照して色変換を行うことが可能となるため、プロジェクターを長期間にわたって使用するうちに各液晶変調装置の特性が劣化したとしても、それに応じた色変換テーブルを参照して色変換を行うことが可能となり、その結果、プロジェクターを長期間にわたって使用するうちに投写画像の色バランスが損なわれるという問題を改善することが可能となる。
【０００９】
本発明のプロジェクターにおいては、前記色変換テーブルライブラリーは、前記第１累積稼働時間よりも長い第２累積稼働時間を経過した時点において予想される前記赤色用液晶変調装置Ｖ−Ｔ特性、前記緑色用液晶変調装置のＶ−Ｔ特性及び前記青色用液晶変調装置のＶ−Ｔ特性に基づいて形成された第３色変換テーブルをさらに有することが好ましい。
【００１０】
このように構成することにより、プロジェクターをさらに長期間にわたって使用するうちに各液晶変調装置の特性がさらに劣化したとしても、それに応じた色変換テーブル（第３色変換テーブル）を参照して色変換を行うことが可能となるため、プロジェクターを長期間にわたって使用するうちに投写画像の色バランスが損なわれるという問題を改善することが可能となる。
【００１１】
本発明のプロジェクターにおいては、前記プロジェクターの累積稼働時間を計測するタイマーをさらに備え、前記色変換テーブル選択装置は、前記累積稼働時間に基づいて所定の色変換テーブルを選択することを特徴とすることが好ましい。
【００１２】
このように構成することにより、累積稼働時間に対応する色変換テーブルを自動的に選択して用いることができる。
【００１３】
本発明のプロジェクターにおいては、前記色変換テーブルを切り替えるための操作ボタンをさらに備え、前記色変換テーブル選択装置は、前記操作ボタンに対する操作内容に基づいて所定の色変換テーブルを選択することが好ましい。
【００１４】
このように構成することにより、プロジェクター使用者は、操作ボタンを操作して所望の色変換テーブルを選択することができる。
【図面の簡単な説明】
【００１５】
【図１】実施形態に係るプロジェクター１０００の概略構成を示すブロック図。
【図２】実施形態に係るプロジェクター１０００の累積稼働時間が０時間の場合の、色変換に関する動作を説明するために示す図。
【図３】実施形態に係るプロジェクター１０００の累積稼働時間が１０００時間を超えた場合の、色変換に関する動作を説明するために示す図。
【図４】実施形態に係るプロジェクター１０００の累積稼働時間が１０００時間を超えた場合の、色変換に関する動作を説明するために示す図。
【図５】変形例に係るプロジェクター１００２の概略構成を示すブロック図。
【発明を実施するための形態】
【００１６】
以下、本発明に係るプロジェクターについて、図に示す実施の形態に基づいて説明する。
［実施形態］
図１は、実施形態に係るプロジェクター１０００の概略構成を示すブロック図である。
【００１７】
実施形態に係るプロジェクター１０００は、図１に示すように、照明装置１００と、照明装置１００からの光を赤色光、緑色光及び青色光に色分離する色分離光学系２００と、色分離光学系２００によって色分離された各色光を画像信号に応じて変調する赤色用液晶変調装置３２０Ｒ、緑色用液晶変調装置３２０Ｇ及び青色用液晶変調装置３２０Ｂと、３つの液晶変調装置３２０Ｒ，３２０Ｇ，３２０Ｂで変調された各色光を色合成する色合成光学系３８０と、色合成光学系３８０により色合成された光を投写対象に向けて投写する投写光学系３９０と、赤色用液晶変調装置３２０Ｒを駆動するための赤色用駆動信号、緑色用液晶変調装置３２０Ｇを駆動するための緑色用駆動信号及び青色用液晶変調装置３２０Ｂを駆動するための青色用駆動信号を画像信号から生成する駆動信号生成回路４００とを備える。
【００１８】
駆動信号生成回路４００は、初期状態における赤色用液晶変調装置３２０ＲのＶ−Ｔ特性、緑色用液晶変調装置３２０ＧのＶ−Ｔ特性及び青色用液晶変調装置３２０ＢのＶ−Ｔ特性に基づいて形成された第１色変換テーブル４５０と、所定の第１累積稼働時間を経過した時点において予想される赤色用液晶変調装置３２０ＲのＶ−Ｔ特性、緑色用液晶変調装置３２０ＧのＶ−Ｔ特性及び青色用液晶変調装置３２０ＢのＶ−Ｔ特性に基づいて形成された第２色変換テーブル４６０と、所定の第１累積稼働時間よりも長い第２累積稼働時間を経過した時点において予想される赤色用液晶変調装置３２０ＲのＶ−Ｔ特性、緑色用液晶変調装置３２０ＧのＶ−Ｔ特性及び青色用液晶変調装置３２０ＢのＶ−Ｔ特性に基づいて形成された第３色変換テーブル４７０とを有する色変換テーブルライブラリー４４０と、色変換テーブルライブラリー４４０が有する複数の色変換テーブル４５０，４６０，４７０のうちからいずれかの色変換テーブルを選択する色変換テーブル選択装置４３０と、色変換テーブル選択装置４３０によって選択された色変換テーブルを参照して、色変換を行う色変換回路４２０とを有する。
【００１９】
以下、各構成要素について説明し、その後に、色変換に関する動作について説明する。
【００２０】
＜照明装置＞
照明装置１００は、光源装置１１０と、第１レンズアレイ１２０と、第２レンズアレイ１３０と、偏光変換素子１４０と、重畳レンズ１５０とを有する。
【００２１】
＜色分離光学系＞
色分離光学系２００は、ダイクロイックミラー２１０，２２０を有し、照明装置１００から射出される光を赤色光、緑色光及び青色光の３つの色光に分離して、それぞれの色光を照明対象となる液晶変調装置３２０Ｒ，３２０Ｇ，３２０Ｂに導く。
【００２２】
ダイクロイックミラー２１０，２２０は、基板上に所定の波長領域の光束を反射し、他の波長領域の光束を透過する波長選択膜が形成された光学素子である。光路前段に配置されるダイクロイックミラー２１０は、赤色光成分を反射し、その他の色光成分を透過するミラーである。光路後段に配置されるダイクロイックミラー２２０は、緑色光成分を反射し、青色光成分を透過するミラーである。
【００２３】
ダイクロイックミラー２１０で反射された赤色光成分は、反射ミラー２３２により曲折され、集光レンズ２５０Ｒを介して赤色用液晶変調装置３２０Ｒに入射する。
【００２４】
集光レンズ２５０Ｒは、重畳レンズ１５０からの各部分光束を略平行な光に変換するために設けられる。他の液晶変調装置３２０Ｇ，３２０Ｂの光路前段に配設される集光レンズ２５０Ｇ，２５０Ｂも、集光レンズ２５０Ｒと同様に構成されている。
【００２５】
ダイクロイックミラー２１０を透過した緑色光成分及び青色光成分のうち緑色光成分は、ダイクロイックミラー２２０によって反射され、集光レンズ２５０Ｇを透過して緑色用液晶変調装置３２０Ｇに入射する。一方、青色光成分は、ダイクロイックミラー２２０を透過し、リレーレンズ２４２、反射ミラー２３４、リレーレンズ２４４、反射ミラー２３６及び集光レンズ２５０Ｂを透過して青色用液晶変調装置３２０Ｂに入射する。リレーレンズ２４２、２４４及び反射ミラー２３４，２３６は、ダイクロイックミラー２２０を透過した青色光成分を青色用液晶変調装置３２０Ｂまで導く機能を有する。
【００２６】
＜液晶変調装置＞
液晶変調装置は、赤色用液晶変調装置３２０Ｒ、緑色用液晶変調装置３２０Ｇ及び青色用液晶変調装置３２０Ｂから構成される。各液晶変調装置は、図１に示すように、それぞれ液晶変調パネル３２２Ｒ，３２２Ｇ，３２２Ｂと、液晶変調パネル駆動回路３２４Ｒ，３２４Ｇ，３２４Ｂと、後述する入射側偏光板及び射出側偏光板（図示せず。）とを有する。
【００２７】
液晶変調パネル３２２Ｒ，３２２Ｇ，３２２Ｂは、入射した光を画像信号に応じて変調するものであり、照明装置１００の照明対象となる。なお、図示を省略したが、各集光レンズ２５０Ｒ，２５０Ｇ，２５０Ｂと各液晶変調パネル３２２Ｒ，３２２Ｇ，３２２Ｂとの間には、それぞれ入射側偏光板が配置され、各液晶変調パネル３２２Ｒ，３２２Ｇ，３２２Ｂと色合成光学系３８０を構成するクロスダイクロイックプリズムとの間には、それぞれ射出側偏光板が配置される。これら入射側偏光板、液晶変調パネル３２２Ｒ，３２２Ｇ，３２２Ｂ及び射出側偏光板によって、入射する各色光の光変調が行われる。
【００２８】
液晶変調パネルは、一対の透明なガラス基板に電気光学物質である液晶を密閉封入したものであり、例えば、ポリシリコンＴＦＴをスイッチング素子として、与えられた画像信号に応じて、入射側偏光板から射出された略１種類の直線偏光の偏光方向を変調する。
【００２９】
＜色合成光学系＞
色合成光学系３８０は、クロスダイクロイックプリズムを有する。クロスダイクロイックプリズムは、射出側偏光板から射出された色光毎に変調された光を合成してカラー画像を形成する光学素子である。このクロスダイクロイックプリズムは、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００３０】
＜投写光学系＞
色合成光学系３８０から射出された光は、投写光学系３９０によって拡大投写され、スクリーンＳＲ上で大画面画像を形成する。
【００３１】
＜駆動信号生成回路＞
駆動信号生成回路４００は、色変換以外の画像処理を行う画像処理回路４１０と、色変換を行う色変換回路４２０と、第１色変換テーブル４５０、第２色変換テーブル４６０及び第３色変換テーブル４７０を有する色変換テーブルライブラリー４４０と、第１色変換テーブル４５０、第２色変換テーブル４６０及び第３色変換テーブル４７０のうちから１つの色変換テーブルを選択する色変換テーブル選択装置４３０と、プロジェクターの累積稼働時間を計測するタイマー４８０とを有する。
【００３２】
画像処理回路４１０は、画像信号を受けて、信号レベル変換、必要なＡＤ変換、台形歪み補正に関する画像変換、拡大・縮小等の画像サイズ調整処理、解像度調整、画質調整処理等、色変換以外の画像処理を行う。
【００３３】
色変換回路４２０は、画像処理回路４１０からの画像信号を受けて、色変換を行う。色変換回路４２０は、液晶変調装置３２０Ｒ，３２０Ｇ，３２０Ｂに対して、赤色用駆動信号、緑色用駆動信号及び青色用駆動信号を出力する。色変換回路４２０が行う色変換に関する動作の詳細については、後述する。
【００３４】
プロジェクター１０００は、操作部４９０及びシステムコントロール回路５００をさらに有する。操作部４９０は、プロジェクター１０００の筐体に設けられ、複数のボタンを有する。使用者がボタンを操作すると、対応する操作信号がシステムコントロール回路５００に出力される。システムコントロール回路５００は、操作部４９０からの操作信号等を受けてプロジェクター１０００の各構成要素を制御する。
【００３５】
＜色変換に関する動作＞
１．プロジェクター１０００の累積稼働時間が０時間である場合
図２は、実施形態に係るプロジェクター１０００の累積稼働時間が０時間である場合の、色変換に関する動作を説明するために示す図である。但し、色変換テーブル選択装置４３０は、第１色変換テーブル４５０を選択しているものとする。
【００３６】
図２中、グラフＡは、工場出荷時点などの初期状態における赤色用液晶変調装置３２０ＲのＶ−Ｔ特性を示し、グラフＢは、初期状態における緑色用液晶変調装置３２０ＧのＶ−Ｔ特性を示し、グラフＣは、初期状態における青色用液晶変調装置３２０ＢのＶ−Ｔ特性を示す。なお、グラフＡ〜Ｃにおいて、斜線部が付されていない領域は、各液晶変調装置３２０Ｒ，３２０Ｇ，３２０Ｂに実際に印加することとなる電圧の範囲（使用電圧範囲）を示している。
【００３７】
上記３つの液晶変調装置３２０Ｒ，３２０Ｇ，３２０Ｂは、それぞれ変調する光の波長が異なるため、グラフＡ〜Ｃに示すように、Ｖ−Ｔ特性も異なる。とりわけ、青色用液晶変調装置３２０Ｂは、透過率が最大となる印加電圧が他の液晶変調装置の場合より高いため、他の液晶変調装置より高い使用電圧範囲で用いる（グラフＣ参照。）。
【００３８】
色変換テーブルライブラリー４４０が有する３つの色変換テーブルのうち、第１色変換テーブル４５０は、初期状態における赤色用液晶変調装置のＶ−Ｔ特性、初期状態における緑色用液晶変調装置のＶ−Ｔ特性及び初期状態における青色用液晶変調装置のＶ−Ｔ特性に基づいて形成される。具体的には、第１色変換テーブル４５０は、初期状態における赤色用液晶変調装置のＶ−Ｔ特性、初期状態における緑色用液晶変調装置のＶ−Ｔ特性及び初期状態における青色用液晶変調装置のＶ−Ｔ特性に基づき、色変換後の赤色光の画素値−透過率特性（グラフＤ参照。）、緑色光の画素値−透過率特性（グラフＥ参照。）及び青色光の画素値−透過率特性（グラフＦ参照。）の３つ画素値−透過率特性がほぼ同一になるように形成される。なお、第１色変換テーブル４５０は、赤色用駆動信号を形成するために参照する第１色変換小テーブル４５２Ｒ、緑色用駆動信号を形成するために参照する第１色変換小テーブル４５２Ｇ及び青色用駆動信号を形成するために参照する第１色変換小テーブル４５２Ｂを有する。
【００３９】
色変換テーブル選択回路４３０は、プロジェクター１０００の累積稼働時間が短い場合（例えば０時間）は、第１色変換テーブル４５０を選択し、色変換回路４２０は、各液晶変調装置３２０Ｒ，３２０Ｇ，３２０Ｂの初期状態におけるＶ−Ｔ特性に基づいて形成された第１色変換テーブル４５０を参照して色変換処理を行う。その結果、グラフＤに示す赤色光の画素値−透過率特性、グラフＥに示す緑色光の画素値−透過率特性及びグラフＦに示す青色光の画素値−透過率特性が得られる。
【００４０】
２．プロジェクター１０００の累積稼働時間が１０００時間を超えた場合
（１）色変換テーブル選択装置４３０が第１色変換テーブル４５０を選択する場合
図３は、実施形態に係るプロジェクター１０００の累積稼働時間が１０００時間を超えた場合の色変換に関する動作を説明するために示す図である。色変換テーブル選択装置４３０は、第１色変換テーブル４５０を選択しているものとする。
【００４１】
図３中、グラフＧは、プロジェクターにおける累積稼働時間が１０００時間を超えた場合の赤色用液晶変調装置３２０ＲのＶ−Ｔ特性であり、グラフＨは、プロジェクターにおける累積稼働時間が１０００時間を超えた場合の緑色用液晶変調装置３２０ＧのＶ−Ｔ特性であり、グラフＩは、プロジェクターにおける累積稼働時間が１０００時間を超えた場合の青色用液晶変調装置３２０ＢのＶ−Ｔ特性である。
【００４２】
上記３つの液晶変調装置３２０Ｒ，３２０Ｇ，３２０Ｂは、長期間の稼働により、グラフＧ〜Ｉに示すように、Ｖ−Ｔ特性が劣化する。とりわけ、青色用液晶変調装置３２０Ｂは、短波長光にさらされることを主原因として、他の液晶変調装置の場合よりＶ−Ｔ特性の劣化が大きい（グラフＩ参照。）。
【００４３】
このとき、色変換回路４２０は、各液晶変調装置３２０Ｒ，３２０Ｇ，３２０Ｂの初期状態におけるＶ−Ｔ特性に基づいて形成された第１色変換テーブル４５０を参照して色変換を行うこととしているため、赤色光の画素値−透過率特性（グラフＪ参照。）、緑色光の画素値−透過率特性（グラフＫ参照。）及び青色光の画素値−透過率特性（グラフＬ参照。）は、初期状態のときから劣化する。とりわけ、青色光の画素値−透過率特性は初期状態のときから大きく劣化し、これにより、投写画像は黄色みを帯び、色バランスが悪くなる。
【００４４】
（２）色変換テーブル選択装置４３０が第２色変換テーブル４６０を選択する場合
図４は、実施形態に係るプロジェクター１０００の累積稼働時間が１０００時間を超えた場合の、色変換に関する動作を説明するために示す図である。但し、色変換テーブル選択装置４３０は、第１色変換テーブル４６０を選択しているものとする。
【００４５】
図４中、グラフＭは、プロジェクターにおける累積稼働時間が１０００時間を超えた場合の赤色用液晶変調装置３２０ＲのＶ−Ｔ特性であり、グラフＮは、プロジェクターにおける累積稼働時間が１０００時間を超えた場合の緑色用液晶変調装置３２０ＧのＶ−Ｔ特性であり、グラフＰは、プロジェクターにおける累積稼働時間が１０００時間を超えた場合の青色用液晶変調装置３２０ＢのＶ−Ｔ特性である。これらのグラフＭ，Ｎ，Ｐは、図３に示すグラフＧ，Ｈ，Ｉと同一である。
【００４６】
図４に示す第２色変換テーブル４６０は、第１累積稼働時間（例えば１０００時間）を経過した時点において予想される赤色用液晶変調装置３２０ＲのＶ−Ｔ特性、緑色用液晶変調装置３２０ＧのＶ−Ｔ特性及び青色用液晶変調装置３２０ＲのＶ−Ｔ特性に基づいて、プロジェクターの製造工程等において予め形成されたものである。なお、第２色変換テーブル４６０は、赤色用駆動信号を形成するために参照する第２色変換小テーブル４６２Ｒ、緑色用駆動信号を形成するために参照する第２色変換小テーブル４６２Ｇ及び青色用駆動信号を形成するために参照する第２色変換小テーブル４６２Ｂを有する。
【００４７】
色変換テーブル選択回路４３０は、プロジェクター１０００の累積稼働時間が第１累積稼働時間（例えば１０００時間）を超えると、第２色変換テーブル４６０を選択し、色変換回路４２０は、第１累積稼働時間を経過した時点において予想される各液晶変調装置３２０Ｒ，３２０Ｇ，３２０ＢのＶ−Ｔ特性に基づいて形成された第２色変換テーブル４６０を参照して色変換処理を行う。その結果、グラフＱに示す赤色光の画素値−透過率特性、グラフＰに示す緑色光の画素値−透過率特性及びグラフＲに示す青色光の画素値−透過率特性が得られるようになり、色バランスや階調特性を改善することができる。
【００４８】
３．プロジェクター１０００の累積稼働時間が３０００時間を超えた場合
プロジェクター１０００の累積稼働時間が例えば３０００時間を超える場合には、各液晶変調装置のＶ−Ｔ特性はさらに劣化する。詳細な説明は省略するが、その場合も同様に第２累積稼働時間（例えば３０００時間）を経過した時点において予想される各液晶変調装置のＶ−Ｔ特性に基づいて作成された第３色変換テーブル４７０（図１参照。）を参照して色変換を行うことにより、色バランスや階調表現を改善することができる。
【００４９】
以上のように構成された実施形態に係るプロジェクター１０００によれば、赤色用、緑色用及び青色用の液晶変調装置の、初期状態におけるＶ−Ｔ特性に基づく色変換テーブル４５０と、所定の第１累積稼働時間を経過した時点において予想されるＶ−Ｔ特性に基づく色変換テーブル４６０と、所定の第２累積稼働時間を経過した時点において予想されるＶ−Ｔ特性に基づく色変換テーブル４７０とから選択した色変換テーブルを参照して色変換を行うことが可能となるため、プロジェクターを長期間にわたって使用するうちに各液晶変調装置の特性が劣化したとしても、それに応じた色変換テーブルを参照して色変換を行うことが可能となり、その結果、プロジェクターを長期間にわたって使用するうちに投写画像の色バランスが損なわれるという問題を改善することが可能となる。
【００５０】
また、実施形態に係るプロジェクター１０００によれば、プロジェクターの累積稼働時間を計測するタイマー４８０をさらに備え、色変換テーブル選択装置４３０は、累積稼働時間に基づいて所定の色変換テーブルを選択するため、累積稼働時間に対応する色変換テーブルを自動的に選択して用いることができる。
【００５１】
以上、本発明のプロジェクターを上記の実施形態に基づいて説明したが、本発明はこれに限定されるものではなく、その要旨を逸脱しない範囲において種々の態様において実施することが可能であり、例えば次のような変形も可能である。
【００５２】
（１）上記実施形態においては、第１累積稼働時間を１０００時間とし、第２累積稼働時間を３０００時間として本発明を説明したが、本発明はこれに限定されるものではない。例えば、第１累積稼働時間を５００時間とし、第２累積稼働時間を１５００時間とすることもできる。
【００５３】
（２）上記実施形態においては、色変換テーブルに記録される画素値（階調レベル）の数を１０２４としたが、本発明はこれに限定されるものではない。例えば、色変換テーブルに記録される画素値（階調レベル）の数をもっと多くしてもよいし（例えば２０４８）、もっと少なくしてもよい（例えば６４）。画素値（階調レベル）の数をもっと少なくする場合には、前後の画素値（階調レベル）に関する値を参照しながら補間計算を行ってもよい。
【００５４】
（３）上記実施形態においては、累積稼働時間を計測するタイマーにより計測された累積稼働時間に基づいて所定の色変換テーブルを選択するようにしたが、本発明はこれに限定されるものではない。図５は、変形例に係るプロジェクター１００２の概略構成を示すブロック図である。変形例に係るプロジェクター１００２は、図５に示すように、色変換テーブルを切り替えるための操作ボタン４９２をさらに備え、色変換テーブル選択装置４３０は、操作ボタン４９２に対する操作内容に基づいて所定の色変換テーブルを選択する。このように、操作ボタン４９２に対する操作内容に基づいて所定の色変換テーブルを選択するようにしてもよい。
【００５５】
（４）上記実施形態においては、色変換回路４２０、色変換テーブル選択装置４３０及び色変換テーブル４５０，４６０，４７０は、図１に示すように、別体として示されているが、本発明はこれに限定されるものではない。例えば、色変換回路４２０、色変換テーブル選択回路４３０及び色変換テーブル４５０，４６０，４７０を同一の大規模集積回路に集積するなど、さまざまな配置が可能である。
【００５６】
（５）上記実施形態においては、画像処理回路４１０は、色変換回路４２０の前段に配置するとして説明したが、本発明はこれに限定されるものではない。例えば、画像処理回路の一部の機能を実施する回路を色変換回路の後段に配置することも可能である。
【００５７】
（６）本発明においては、色変換回路、色変換テーブル選択装置、色変換テーブル及びタイマーの全部又は一部の機能はＣＰＵ上で動作するソフトウエアプログラムで処理する構成としてもよい。
【符号の説明】
【００５８】
１００…照明装置、１１０…光源装置、１２０…第１レンズアレイ、１３０…第２レンズアレイ、１４０…偏光変換素子、１５０…重畳レンズ、２００…色分離光学系、２１０，２２０…ダイクロイックミラー、２３２，２３４，２３６…反射ミラー、２４２，２４４…リレーレンズ、２５０Ｒ，２５０Ｇ，２５０Ｂ…集光レンズ、３２０Ｒ…赤色用液晶変調装置、３２０Ｇ…緑色用液晶変調装置、３２０Ｂ…青色用液晶変調装置、３２２Ｒ，３２２Ｇ，３２２Ｂ…液晶変調パネル、３２４Ｒ，３２４Ｇ，３２４Ｂ…液晶変調パネル駆動回路、３８０…色合成光学系、３９０…投写光学系、４００…駆動信号生成回路、４１０…画像処理回路、４２０…色変換回路、４３０…色変換テーブル選択装置、４４０…色変換テーブルライブラリー、４５０…第１色変換テーブル、４５２Ｒ，４５２Ｇ，４５２Ｂ…第１色変換小テーブル、４６０…第２色変換テーブル、４６２Ｒ，４６２Ｇ，４６２Ｂ…第２色変換小テーブル、４７０…第３色変換テーブル、４８０…タイマー、４９０…操作部、４９２…操作ボタン、５００…システムコントロール回路、１０００，１００２…プロジェクター、ＳＲ…スクリーン
【図１】
2010245586.tif 000003
【図２】
2010245586.tif 000004
【図３】
2010245586.tif 000005
【図４】
2010245586.tif 000006
【図５】
2010245586.tif 000007